(57)【要約】      （修正有）【課題】昼夜において視認可能なロゴマークを備えた液晶表示装置を提供する。【解決手段】液晶パネルと、液晶パネルの前面に配置される第１の偏光膜１０１と、液晶パネルの裏面に配置される第２の偏光膜１０２と、液晶パネルを透過照明させるために液晶パネルの背後に配置された光源と、を有した液晶表示装置において、液晶パネルと第２の偏光膜１０２との間に意匠層１２１を備えたことによって、光源の点灯に係らず常にロゴマークを視認可能に表示する。【選択図】図３
2014224880.tif 000002
【特許請求の範囲】
【請求項１】
液晶パネルと、
前記液晶パネルの前面に配置される第１の偏光膜と、前記液晶パネルの裏面に配置される第２の偏光膜と、
前記液晶パネルを透過照明させるために前記液晶パネルの背後に配置された光源と、を有した液晶表示装置において、
前記液晶パネルと前記第２の偏光膜との間に意匠層を備えたことを特徴とする液晶表示装置。
【請求項２】
前記意匠層は、ロゴマークを表すものであることを特徴とする請求項１に記載の液晶表示装置。
【請求項３】
前記意匠層は、前記液晶パネルの非表示領域に設けられていることを特徴とする請求項１及び２に記載の液晶表示装置。
【発明の詳細な説明】
【技術分野】
【０００１】
本発明は、例えば車両用計器に用いられる液晶表示装置に関し、特に液晶の背景と色味が異なるマークを有した液晶表示装置に係るものである。
【背景技術】
【０００２】
この種の液晶表示装置として、例えば下記特許文献１に記載されたものが知られている。この液晶表示装置は、液晶パネルと、前記液晶パネルを透過照明させるために前記液晶パネルの外側に対称的に配置された光源と、前記光源からの光を前記液晶パネル全面に照射させる為に配置された反射板と、照射の効率を向上させるために前記導光体の裏面に配置された拡散板と、前記液晶パネルを駆動させるための回路基板と、これらを収納する下ケースとを、備えたものである。
【先行技術文献】
【特許文献】
【０００３】
【特許文献１】特開２００２−１６９１４３号公報
【発明の概要】
【発明が解決しようとする課題】
【０００４】
しかしながら、このような液晶表示装置は、ロゴマークを設ける場合、ロゴマークを所定箇所に両面テープなどによって貼付けしたものが一般的であり、昼間は視認可能であるが、夜間は非点灯時に視認されにくいという問題点があった。また、ロゴマークを専用に設けるので製造コストが高くなるという問題点もあった。
【０００５】
本発明は、このような問題に鑑みなされたものであり、昼夜において視認可能なロゴマークを備えた液晶表示装置を提供するものである。
【課題を解決するための手段】
【０００６】
本発明は、液晶パネルと、前記液晶パネルの前面に配置される第１の偏光膜と、前記液晶パネルの裏面に配置される第２の偏光膜と、前記液晶パネルを透過照明させるために前記液晶パネルの背後に配置された光源と、を有した液晶表示装置において、前記液晶パネルと前記第２の偏光膜との間に意匠層を備えたものである。
【０００７】
また、本発明は、前記意匠層は、ロゴマークを表すものである。
【０００８】
また、本発明は、前記意匠層は、前記液晶パネルの非表示領域に設けられているものである。
【発明の効果】
【０００９】
昼夜において視認可能なロゴマークを備えた液晶表示装置を提供することができる。
【図面の簡単な説明】
【００１０】
【図１】本発明の実施形態を示す液晶表示装置の正面図。
【図２】同実施形態を示す液晶表示装置のＡ−Ａ断面図。
【図３】同実施形態を示す液晶表示装置の部分断面図。
【発明を実施するための形態】
【００１１】
本発明を車両用計器に用いられる液晶表示装置を実施形態として説明する。図１は、液晶表示装置の正面図であり、図２は液晶表示装置のＡ−Ａ断面図である。図３は、液晶表示パネルの部分断面図である。
【００１２】
液晶表示装置は、透過型の液晶パネル１と、液晶パネル１を透過照明させるために液晶パネル１の裏側に配置された光源２と、液晶パネル１の背後に配置された拡散板３と、液晶パネル１と拡散板３とが保持されるセルケース４と、セルケース４の背後に配置された硬質な回路基板５と、これらを収納する上ケース６と下ケース７と、から主に構成されている。
【００１３】
液晶パネル１は、各種タイプのパネルを採用でき、光源２上に配置され、且つ光源２からの光を受けて例えば数字などの各種情報を指標部１１に表示する。
【００１４】
本実施形態においては、液晶パネル１はセグメントＬＣＤであり、２枚のガラス基板の表側に第１の偏光膜１０１が配置され、裏側に第２の偏光膜１０２が配置される。セグメントが形成された領域が表示領域となる。この表示領域の周囲は、透明電極が形成されていない箇所や透明電極に連なる引き回し電極が形成された箇所であり、非表示領域となる。
【００１５】
光源２は、例えば発光ダイオードからなり、回路基板５の対向する側面上に一列に配置されている。
【００１６】
回路基板５は、たとえばガラスエポキシ系材料からなる硬質の回路基板で形成されており、光源２などが実装されている。
【００１７】
上ケース６は、合成樹脂材料からなり、下ケース７の開口部に配置され、液晶パネル１を覆う透過性の前面パネル６１が嵌め込まれている。
【００１８】
下ケース７は、合成樹脂材料からなり、液晶パネル１と、光源２と、拡散板３と、セルケース４と、回路基板５とを収納する。
【００１９】
このように構成された液晶表示装置において、第２のガラス基板１０４の裏側であって第２の偏光膜１０２との間に、印刷などの手法によって意匠層１２１が施されている。また、意匠層１２１は、赤色やグレー等の暗色系インキや黒色やパール等の不透過インキからなり、粘着層１０５によって覆われている。粘着層１０５があることによって、第２の偏光膜１０２が固定されている。
【００２０】
意匠部１２１は、指標部１１が表示される表示領域とは離れた箇所である、通常、各種情報を表示させない非表示領域１１０に設けられている。
【００２１】
この意匠層１２１は、例えばロゴマークなどであり、液晶パネル１が光源２によって照明される際は、意匠部１２が影となって視認され、表示領域と意匠部１２とのコントラストの違いなどによって意匠部１２が認識される。光源２が消灯している際は、外光が意匠層１２１によって反射されるため意匠部１２が視認される。
【００２２】
このように、本実施形態における液晶表示装置は、液晶パネル１と、液晶パネル１の前面に配置される第１の偏光膜１０１と、液晶パネル１の裏面に配置される第２の偏光膜１０２と、液晶パネル１を透過照明させるために液晶パネル１の背後に配置された光源２と、を有した液晶表示装置において、液晶パネル１と第２の偏光膜１０２との間に意匠層１２１を備えたことによって、光源の点灯に係らず常にロゴマークを視認可能に表示することができる。
【００２３】
また、意匠層１２１は、ロゴマークを表すものであることによって、商品性が向上する。
【００２４】
また、意匠層１２１は、液晶パネル１の非表示領域１１０に設けられていることによって、指標部１１が設けられた表示領域に影響しない意匠の表示が可能となる。
【００２５】
なお、本実施形態では、意匠層１２１が、第２のガラス基板１０４の裏側であって第２の偏光膜１０２との間に施された例を説明したが、意匠層１２１が、第１のガラス基板１０３の表側であって、第１の偏光膜１０１との間に施されていてもよい。
【符号の説明】
【００２６】
１    液晶パネル
２    光源
３    拡散板
４    セルケース
５    回路基板
６    上ケース
７    下ケース
１１  指標部
１２  意匠部
１０１  第１の偏光膜
１０２  第２の偏光膜
１０３  第１のガラス基板
１０４  第２のガラス基板
１０５  粘着層
１１０  非表示領域
１２１  意匠層
【図１】
2014224880.tif 000003
【図２】
2014224880.tif 000004
【図３】
2014224880.tif 000005